(57)【要約】【課題】複数のプラントが管理対象である場合に、作業者によるプラント情報の入力の負荷を低減し、プラント情報の誤入力があっても、高い確度で所望のプラント情報を検索・抽出・比較できるプラント機器情報管理システムを提供する。【解決手段】複数のプラントの機器情報をＢＯＭで管理し、プラントに対して行う作業情報をＷＢＳで管理するプラント機器情報管理システムであって、ＢＯＭの階層のうち、全プラントで入力必須な最下層の装置コードと、ＷＢＳの階層のうち最下層の機器情報に直接的に紐づく階層の作業コードとのみに対応したメンテナンスコードを生成し、機器情報および作業情報に対応する関連情報の文字列を分析し、特定の文字列に対応したグループコードを生成し、プラント管理作業に関する処理を行う業務アプリケーションが、同一のメンテナンスコード又はグループコードに対応する複数のプラントの機器情報と作業情報を抽出して表示する。【選択図】図１
2020057281.tif 000002
【特許請求の範囲】
【請求項１】
複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、
前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、
前記メンテナンスコードと、前記メンテナンスコードに対応する前記機器情報および前記作業情報とを用いて、前記プラントの管理作業に関する処理を実行する業務アプリケーションと、
前記機器情報および前記作業情報に対応する関連情報の文字列を分析する関連情報分析部と、
前記文字列のうち、特定の文字列に対応したグループコードを生成するグループコード生成部と
を有し、
前記業務アプリケーションは、同一の前記メンテナンスコードまたは同一の前記グループコードに対応する前記複数のプラントの前記機器情報および前記作業情報を抽出して表示することを特徴とするプラント機器情報管理システム。
【請求項２】
前記業務アプリケーションが、前記同一のメンテナンスコードに対応する前記複数のプラントの前記機器情報及び前記作業情報を表示した後、
前記グループコード生成部は、前記表示された前記機器情報および前記作業情報に対応する前記関連情報に含まれる前記特定の文字列に基づいて前記グループコードを生成すること
を特徴とする請求項１に記載のプラント機器情報管理システム。
【請求項３】
前記分析は、テキストマイニング分析であることを特徴とする請求項２に記載のプラント機器情報管理システム。
【請求項４】
前記メンテナンスコードと、前記グループコードと、前記メンテナンスコードに対応する前記機器情報および前記作業情報とを格納するデータベースをさらに有し、
前記データベースは、第一データベースと第二データベースとを備え、
前記業務アプリケーションは、第一作業に関する処理を実行して第一作業情報を得る第一業務アプリケーションと、第一作業と異なる第二作業に関する処理を実行して第二作業情報を得る第二業務アプリケーションとを備え、
前記第一業務アプリケーションは、前記第一作業情報を前記機器情報および前記作業情報に追加して前記第一データベースに格納し、
前記第二業務アプリケーションは、前記第一データベースに格納された前記メンテナンスコード、前記グループコード、前記機器情報、前記作業情報及び前記第一作業情報を前記第二データベースにコピーして前記第二作業に関する処理を実行し、前記第二作業情報を前記メンテナンスコードに対応づけて前記第二データベースに格納すること
を特徴とする請求項１から請求項３のいずれか一項に記載のプラント機器情報管理システム。
【発明の詳細な説明】
【技術分野】
【０００１】
本発明は、プラント機器情報管理システムに関する。
【背景技術】
【０００２】
ごみ焼却炉等のプラントでは、プラントを構成する設備、機器、並びに部品に関する情報（以下、「機器情報」という）が多く存在し、また、プラントを運用または保守するために必要な作業に関する情報（以下、「作業情報」という）が多く存在する。これら機器情報や作業情報を管理するため、ＢＯＭ(Bill Of Materials)やＷＢＳ(Work Breakdown Structure)などの管理手法が用いられる。ＢＯＭは、機器情報を階層的な構造に細分化した一覧情報であり、ＷＢＳは、作業情報を階層的な構造に細分化した一覧情報である。このように、ＢＯＭとＷＢＳは、互いに関係のない別箇の一覧情報であるように見えるが、プラントを運用する場面では、例えば、ＢＯＭのある階層の機器情報に対して、ＷＢＳのある階層のある作業情報を紐づけ、プラントの管理を行うことができる。例えば、特許文献１には、ＢＯＭで管理される機器情報とＷＢＳで管理される作業情報を紐づけて、プラントの運用で必要となる情報（以下、「プラント情報」といい、少なくとも機器情報と作業情報を含む）を管理する管理装置が提案されている。
【先行技術文献】
【特許文献】
【０００３】
【特許文献１】特開２０１２−１２８７６１号公報
【発明の概要】
【発明が解決しようとする課題】
【０００４】
一般的に、ＢＯＭやＷＢＳをコンピュータで電子的に管理する場合、ＢＯＭの複数の階層の各々に対応する機器情報に、それぞれ対応するコード（以下、「装置コード」という）が設定され、ＷＢＳの複数の階層の各々に対応する作業情報に、それぞれ対応するコード（以下、「作業コード」という）が設定される。作業者が機器情報または作業情報の入力を行うと、それに対応した装置コードまたは作業コードが自動的に設定される。
なお、ここでは、ＢＯＭの各階層に、上方から下方に向けて、ＢＯＭレベル１、ＢＯＭレベル２、ＢＯＭレベル３などと順次付番し、特定の階層（特定のＢＯＭレベル）を示す。同様に、ＷＢＳの各階層に、上方から下方に向けて、ＷＢＳレベル１、ＷＢＳレベル２、ＷＢＳレベル３などと順次付番し、特定の階層（特定のＷＢＳレベル）を示す。
そして、特許文献１の管理装置と同様に、複数のＢＯＭレベルの装置コード及びＷＢＳレベルの作業コードに基づいて設定した検索コードを用いてプラント情報を管理することができる。このような検索コードを設定すれば、複数のプラントのプラント情報から、所望のプラント情報を検索・抽出し、比較することができる。
【０００５】
しかし、地理的、機能的に異なる複数のプラントのプラント情報を一律に管理する場合、ある１つのプラント（以下、「プラント１」という）のＢＯＭ及びＷＢＳの階層数と、他のプラント（以下、「プラント２」という）のＢＯＭ及びＷＢＳの階層数が異なる場合がありうる。例えば、プラント１のＢＯＭは５階層であるのに対し、プラント２のＢＯＭは３階層である場合がありうる。ＷＢＳレベルも同様である。この場合、全てのプラントのプラント情報を一律に管理し、所望のプラント情報を検索・抽出するためには、従来においては、あるプラントでは不要な階層であっても、一番階層の多いプラントの階層の数に合わせて、プラント情報を入力する必要がある。例えば、全てのプラントの中で最も多いＢＯＭの階層がプラント１と同じ５階層である場合、プラント２のＢＯＭは３階層であるので、プラント２についても、残る２階層に相当する本来無用な装置コード（例えば、「該当無し」を意味するコードなど）を設定しなければ、プラント１とプラント２のプラント情報を同時に検索・抽出することができなかった。このため、当該２階層分に相当する本来無用な装置コードを設定すべく、作業者は、それに対応するなんらかの情報をプラント情報として入力しなければならない。すなわち、ＢＯＭ及びＷＢＳで一番階層の多いプラントに合わせて本来不要な階層を見立て、当該不要な階層を含む全ての階層の機器情報または作業情報に対応した装置コードまたは作業コードを設定する必要があるため、これら全ての階層に何らかのプラント情報を入力しなければならないという情報入力過多の状態であった。このため、作業者による入力作業に長時間を要し、コストが高くなりがちであった。従って、ＢＯＭ及びＷＢＳの階層数が異なる複数のプラントがある場合においても、作業者の入力の負荷を低減し、所望のプラント情報を検索・抽出・比較できる管理システムの開発が求められてきた。
【０００６】
また、このように情報入力過多の状態である場合、作業者が機器情報や作業情報の入力を誤る危険性が高く、結果としてプラント情報の検索・抽出・比較に支障が生じる可能性が高かった。例えば、上述のように、複数のＢＯＭレベルに対応した複数の装置コード及び複数のＷＢＳレベルに対応した複数の作業コードに基づいて検索コードを設定した場合、あるＢＯＭレベルの機器情報またはあるＷＢＳレベルの作業情報を作業者が誤って入力されると、本来の検索コードとは異なる検索コードが設定されるので、所望のプラント情報を全て抽出して比較することはできない。従って、作業者の誤入力によるプラント情報の検索・抽出・比較に支障が生じる可能性をできるだけ低減した管理システムの開発が求められてきた。
【０００７】
また、プラントの運用を継続すると、作業の詳細、運用ノウハウ、連絡事項など様々な関連情報が管理システムに記録され、蓄積されていく。管理システムには、類似する関連情報の記録があるプラント情報を検索・抽出・比較できる機能が求められてきた。
【０００８】
そこでこの発明は、上述の課題を解決することのできるプラント機器情報管理システムを提供することを目的とする。
【課題を解決するための手段】
【０００９】
本発明のプラント機器情報管理システムは、複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、前記メンテナンスコードと、前記メンテナンスコードに対応する前記機器情報および前記作業情報とを用いて、前記プラントの管理作業に関する処理を実行する業務アプリケーションと、前記機器情報および前記作業情報に対応する関連情報の文字列を分析する関連情報分析部と、前記文字列のうち、特定の文字列に対応したグループコードを生成するグループコード生成部とを有し、前記業務アプリケーションは、同一の前記メンテナンスコードまたは同一の前記グループコードに対応する前記複数のプラントの前記機器情報および前記作業情報を抽出して表示することを特徴とする。
【００１０】
この構成によれば、プラント情報を抽出するためのメンテナンスコードが、複数のプラントの全てにおいて機器情報が必ず入力されるＢＯＭの階層の中で最下層の機器情報に対応する装置コード、及び、当該機器情報に直接的に紐づくＷＢＳの階層の作業情報に対応する作業コードの２つのみに対応して生成されるので、上記課題で述べたような情報入力過多の状況を回避できる。例えばあるプラントのＢＯＭは５階層であり、他のプラントのＢＯＭは３階層である場合、メンテナンスコードは、ＢＯＭレベル３の機器情報に対応する装置コードと当該機器情報に直接的に紐づくＷＢＳレベルの作業情報（例えば、ＷＢＳレベル１の作業情報）に対応する作業コードのみに対応して生成されるので、作業者は、当該他のプラントにおいては、５階層分ではなく、３階層分の機器情報を入力するだけでよい。
【００１１】
また、作業者が機器情報や作業情報を入力する際、メンテナンスコードの生成に必要な上記最下層のＢＯＭレベルとそれに直接的に紐づく１つのＷＢＳレベルへの入力にのみ十分な注意を払えばよく、仮に他のＢＯＭレベルやＷＢＳレベルに対する情報の入力に誤りがあっても、所望のプラント情報を抽出することができる。なお、ここで抽出されたプラント情報は、一部に誤情報が含まれているが、大部分は正しいプラント情報であるので、作業者は業務アプリケーションを用いたプラントの管理作業を効率的に行うことができる。
すなわち、複数のプラントがある場合において、作業者によるプラント情報の入力の負荷を低減し、プラント情報の誤入力があっても、高い確度で所望のプラント情報を検索・抽出・比較できるプラント機器情報管理システムを提供することができる。
【００１２】
また、機器情報および作業情報に対応する関連情報に含まれる特定の文字列に対応付けてグループコードを生成することができるので、関連情報として共通する特定の文字列が記録されたプラント情報を検索・抽出・比較することができる。
【００１３】
本発明のプラント機器情報管理システムでは、前記業務アプリケーションが、前記同一のメンテナンスコードに対応する前記複数のプラントの前記機器情報及び前記作業情報を表示した後、前記グループコード生成部は、前記表示された前記機器情報および前記作業情報に対応する前記関連情報に含まれる前記特定の文字列に基づいて前記グループコードを生成してもよい。
【００１４】
この構成であれば、同一のメンテナンスコードで紐づけられた複数のプラント情報の関連情報を参照しつつ、それらをさらに関連情報に含まれる特定の文字列に基づくグループコードを生成することができる。これにより同一のメンテナンスコードで紐づけられた複数のプラント情報をさらにグループ分けすることができ、そのグループを対象として検索・抽出・比較を行うことができる。
【００１５】
本発明のプラント機器情報管理システムでは、前記分析は、テキストマイニング分析であってもよい。
【００１６】
この構成によれば、管理システムに入力された複数のプラント情報を対象として、それらのプラント情報の関連情報に含まれる単語や文節の出現回数や関連性を自動的に分析、表示することができる。これにより、同一のメンテナンスコードが付されたプラント情報のグループ分けに用いる「特定の文字列」の選択を容易に行うことができる。
【００１７】
本発明のプラント機器情報管理システムは、前記メンテナンスコードと、前記グループコードと、前記メンテナンスコードに対応する前記機器情報および前記作業情報とを格納するデータベースをさらに有し、前記データベースは、第一データベースと第二データベースとを備え、前記業務アプリケーションは、第一作業に関する処理を実行して第一作業情報を得る第一業務アプリケーションと、第一作業と異なる第二作業に関する処理を実行して第二作業情報を得る第二業務アプリケーションとを備え、前記第一業務アプリケーションは、前記第一作業情報を前記機器情報および前記作業情報に追加して前記第一データベースに格納し、前記第二業務アプリケーションは、前記第一データベースに格納された前記メンテナンスコード、前記グループコード、前記機器情報、前記作業情報及び前記第一作業情報を前記第二データベースにコピーして前記第二作業に関する処理を実行し、前記第二作業情報を前記メンテナンスコードに対応づけて前記第二データベースに格納する構成としてもよい。
【００１８】
この構成によれば、第一業務アプリケーションと第二業務アプリケーションとでそれぞれ個別のデータベース（第一データベース、第二データベース）を設けており、第二業務アプリケーションは、第一データベースの内容を第二データベースにコピーして第二作業を実行する。従って、例えば、第一データベースにつき定期点検など保守作業を実施する場合であっても、第二データベースを用いて第二業務アプリケーションの処理を実行できるので、プラント機器情報管理システムの利便性を向上することができる。
【発明の効果】
【００１９】
本発明のプラント機器情報管理システムによれば、複数のプラントが管理対象である場合において、作業者によるプラント情報の入力の負荷を低減し、高い確度で所望のプラント情報を検索・抽出・比較することができる。また、プラントの運用に伴い蓄積される関連情報を用いて、特定の文字列を関連情報に含むプラント情報を検索・抽出・比較することができる。
【図面の簡単な説明】
【００２０】
【図１】本発明に係る実施形態であるプラント機器情報管理システムのブロック図である。
【図２】図１のプラント機器情報管理システムの業務プロセスを示す図である。
【図３】本発明におけるメンテナンスコードの生成方法を説明する図である。
【図４】図１で示す業務アプリケーション部１２の各処理部でそれぞれ使用される機器情報、作業情報、関連情報を示した一覧表である。
【図５】本発明における比較対象のプラント情報等の表示例である第１の図である。
【図６】本発明における比較対象のプラント情報等の表示例を示す第２の図である。
【図７】本発明における比較対象のプラント情報等の表示例を示す第３の図である。
【図８】本発明における比較対象のプラント情報等の表示例を示す第４の図である。
【図９】本発明における関連情報の分析結果の表示例を示す図である。
【図１０】本発明におけるグループコードの一例を示す図である。
【発明を実施するための形態】
【００２１】
＜実施形態＞
以下、本発明の実施形態によるプラント機器情報管理システムを図１〜図１０を参照して説明する。
図１は、本発明に係る実施形態におけるプラント機器情報管理システムのブロック図である。
プラント機器情報管理システム１０（以下、「管理システム１０」という）は、ごみ焼却炉などのプラント情報（機器情報、作業情報、またはそれらに関連するその他の情報（以下、「関連情報」という））を電子的に管理するシステムである。管理システム１０は、１台または複数台のパソコン（パーソナルコンピュータまたはＰＣ（personal computer）という）やサーバ装置等のコンピュータによって構成される。管理システム１０は、管理対象となる複数のプラントの機器情報をＢＯＭにより管理し、作業情報をＷＢＳにより管理する。また、管理システム１０は、ＢＯＭとＷＢＳを互いに紐づけて管理する。さらに、管理システム１０は、地理的、機能的に異なる複数のプラントのプラント情報を一律に管理する。このため、ある１つのプラントのＢＯＭ及びＷＢＳの階層数と、他のプラントのＢＯＭ及びＷＢＳの階層数が異なる場合がありうる。
本実施形態では、例として、取扱う全てのプラントの中で、ＢＯＭの階層が最大であるのはＢＯＭレベル５（BOM Lv.5）まで機器情報が存在するプラントであり、また、ＷＢＳの階層が最大であるのはＷＢＳレベル３（WBS Lv.3）まで作業情報が存在するプラントであるとして、管理システム１０の説明を行う。後述の図４の一覧表で、ＢＯＭはＢＯＭレベル５まで、ＷＢＳはＷＢＳレベル３までの記載となっているのは、この理由による。
【００２２】
管理システム１０は、入出力部１１と、業務アプリケーション部１２と、記憶部１３とを備える。
入出力部１１は、作業者がプラント情報を入力するキーボードと、プラント情報を出力・表示するモニタを少なくとも備えている。入出力部１１はタッチパネルによってモニタと一体化しても良い。入出力部１１は、プラント情報を出力・印刷するプリンタを備えていてもよい。
【００２３】
プラントの運用管理は、後述のように、プラント情報を初期登録する客先機器台帳作成処理に始まり、点検や保守作業の計画を行う工程表作成処理、実際に保守作業等を行ってその実績を入力する工事報告書作成処理など一連の業務プロセス（図２参照）に沿って行われる。このため、業務アプリケーション部１２は、当該プロセスに従って処理を行うための複数の処理部を備えている。具体的には、業務アプリケーション部１２は、処理部として、メンテナンスコード生成部１２０と、グループコード生成部１２Ａと、客先機器台帳作成部１２１と、工程表作成部１２２と、見積作成部１２３と、工事仕様書作成部１２４と、工事報告書作成部１２５と、工事日報作成部１２６と、保全履歴作成部１２７と、保全計画作成部１２８と、関連情報分析部１２９とを備えている。これら各処理部の処理の詳細については、記憶部１３の説明の後、改めて述べる。
なお、メンテナンスコード生成部１２０が生成するメンテナンスコードＣＯＭ（ＣＯＭは、Code Of Maintenanceの略）と、グループコード生成部１２Ａが生成するグループコードＰＡＲＥは、検索コードの一種であり、本発明の重要な構成要素の一つである。後述のように、グループコードＰＡＲＥは、特定のメンテナンスコードＣＯＭに紐づけられた複数のプラント情報のうち、その一部のプラント情報に紐づけられる。従って、これら２つのコードの一方または両方を適宜用いることで、複数のプラントが管理対象である場合において、作業者によるプラント情報の入力の負荷を低減し、高い確度で所望のプラント情報を検索・抽出・比較することができる。
グループコードを“ＰＡＲＥ”と名付けたのは、次の理由による。まず、“ＰＡＲＥ”は英語で「余分なところを削る」意味を持ち、検索コードの一種として不要な情報を削り取り、必要な情報のみ抽出する点で、複数のプラント情報の比較を行う管理システム１０において、名前として適切であると発明者は考えたからである。また、グループコードＰＡＲＥは、メンテナンスコードＣＯＭと高い相関を持ち、“ＣＯＭ”と“ＰＡＲＥ”を合わせれば“ＣＯＭＰＡＲＥ”（英語で「比較」を意味）となり、複数のプラント情報の比較を行う管理システム１０において、やはり名前として適切であると発明者は考えたからである。
【００２４】
記憶部１３は、業務アプリケーション部１２で処理されたプラント情報を記憶する。記憶部１３は、客先機器台帳作成部１２１で処理されたプラント情報とメンテナンスコード生成部１２０が生成したメンテナンスコードＣＯＭが記憶・保存される客先ＢＯＭ・ＷＢＳＤＢ１３１と、工程表作成部１２２で処理されたプラント情報が記憶・保存される工事予定ＤＢ１３２と、見積作成部１２３で処理されたプラント情報が記憶・保存される見積ＤＢ１３３と、工事仕様書作成部１２４で処理されたプラント情報が記憶・保存される発注コストＤＢ１３４と、工事報告書作成部１２５で処理されたプラント情報が記憶・保存される機器点検・計測記録ＤＢ１３５と、工事日報作成部１２６で処理されたプラント情報が記憶・保存される工事実績ＤＢ１３６と、保全履歴作成部１２７で処理されたプラント情報が記憶・保存される工事履歴ＤＢ１３７と、保全計画作成部１２８で処理されたプラント情報が記憶・保存される将来工事計画ＤＢ１３８を備えている。すなわち、業務アプリケーション部１２の各処理部のうち、グループコード生成部１２Ａと関連情報分析部１２９を除く他の各処理部１２０〜１２８にそれぞれ個別に対応したＤＢが設けられている。
なお、「ＤＢ」はデータベースを意味する。これらＤＢ１３１〜１３８は、各々が別箇の記憶装置であってもよいし、１つの記憶装置内の異なる記憶領域であってもよい。また、ＤＢ１３１〜１３８は、有線または無線で、インターネット等を介して業務アプリケーション部１２及び入出力部１１に接続されるのであれば、互いに地理的・空間的に分かれて存在してもよい。
【００２５】
では、業務アプリケーション部１２の各処理部の処理を、図１、図２、図３、図４、図９及び図１０を用いて、詳細に説明する。図２は、図１のプラント機器情報管理システムの業務プロセスを示す図である。図３は、メンテナンスコードＣＯＭの生成方法を説明する図である。
また、図４は、各処理部でそれぞれ使用される機器情報及び作業情報を、対応するＢＯＭレベルまたはＷＢＳレベルごとに示した表である。図４には、各処理部でそれぞれ入力または使用される関連情報も示されている。なお、図４で「-」が記載された項目は、それに対応する処理部では使用されない項目であるので、その項目及びその項目を入力するための入力欄は、入出力部１１のモニタに表示されない。しかし、各処理部に個別に対応して設けられたＤＢには、その上流の業務プロセスでプラント情報の入力がなされていれば、「-」が記載された項目のプラント情報も当該ＤＢに記憶・保存されているので、作業者が当該項目の表示を希望する場合、適宜選択すれば、当該項目を表示することができる。
さらに、図９は、関連情報の分析結果の表示例を示す図である。図１０は、グループコードＰＡＲＥの一例を示す図である。
なお、グループコード生成部１２Ａと関連情報分析部１２９は、以下に説明する各処理のうち、客先機器台帳の作成処理Ｓ１１を除く他の処理Ｓ１２〜Ｓ１８において、グループコードＰＡＲＥを生成する場合に、適宜、工程表作成部１２２、見積作成部１２３、工事仕様書作成部１２４、工事報告書作成部１２５、工事日報作成部１２６、保全履歴作成部１２７、または保全計画作成部１２８が使用する処理部である。
【００２６】
（客先機器台帳の作成処理）
まず、客先機器台帳作成部１２１は、入出力部１１のモニタに「客先機器台帳画面」を表示する。客先機器台帳作成部１２１は、記憶部１３にプラント情報が記憶・保存されていない新規のプラントについて、客先機器台帳の作成処理Ｓ１１を実行する。「客先機器台帳画面」には、客先機器台帳の作成処理Ｓ１１で入力される複数の項目の入力欄が表示される。
具体的には、図４で示すように、機器情報である客先設備名（ＢＯＭレベル１）、客先機器名または機器仕様（ＢＯＭレベル２）、機器仕様分類、客先機器詳細名、機器詳細仕様、または系列（ＢＯＭレベル３）、客先機器部分名または部分仕様（ＢＯＭレベル４）、客先機器部品名または部品仕様（ＢＯＭレベル５）、並びに、作業情報である作業属性または客先実施項目名（ＷＢＳレベル１）及び客先作業詳細名（ＷＢＳレベル２）を入力するための入力欄を、客先機器台帳作成部１２１が入出力部１１のモニタに表示する。作業者は、入出力部１１のキーボードを用いてこれらの入力欄に適宜入力を行い、新規プラントのプラント情報の台帳（マスタデータ）を電子的に作成する。当該台帳においては、後述するように、メンテナンスコードＣＯＭ、ＢＯＭの機器情報、ＷＢＳの作業情報、及び関連情報が互いに紐づいている。
【００２７】
ここで、「客先機器台帳画面」には、客先機器台帳の作成処理Ｓ１１で入力される項目として、ＢＯＭレベル１からＢＯＭレベル５の機器情報、ＷＢＳレベル１、２の作業情報に対応する入力欄が表示されるが、取扱う全てのプラントにおいて必ず機器情報が入力されるのはＢＯＭレベル１からＢＯＭレベル３までであり、取扱う全てのプラントで必ず作業情報が入力されるのはＷＢＳレベル１までであるとして説明を進める。すなわち、取扱う全てのプラントの中には、ＢＯＭレベル４、ＢＯＭレベル５の機器情報を入力する必要のないプラントや、ＷＢＳレベル２の作業情報を入力する必要のないプラントが存在しうる。
そして、客先機器台帳作成部１２１は、作業者が「客先機器台帳画面」で入力したプラント情報を、客先ＢＯＭ・ＷＢＳＤＢ１３１へ記憶・保存する。
【００２８】
なお、上記「系列」（ＢＯＭレベル３）は、同型の複数の装置や機器が配置される場合に、これらを区別する情報である。炉の場合には、「号炉」情報ともいわれ、これに対応する装置コードは号炉コードともいわれる。例えば、１つのごみ焼却プラントに、複数のごみ焼却炉が設けられる場合には、各ごみ焼却炉を区別するため、それぞれ異なる号炉コードが設定される。
【００２９】
（メンテナンスコードＣＯＭの生成処理）
メンテナンスコード生成部１２０は、「客先機器台帳画面」で入力された機器情報及び作業情報に対応した装置コードおよび作業コードの特定の組み合わせに対応させて、上記検索コードの一種であるメンテナンスコードＣＯＭを生成する。具体的には、ＢＯＭの複数の階層のうち、複数のプラントの全てにおいて機器情報が必ず入力される階層の中で最下層の機器情報に対応する装置コード（本実施形態では、ＢＯＭレベル３の機器情報に対応する装置コード）と、ＷＢＳの複数の階層のうち、上記最下層の機器情報に直接的に紐づくＷＢＳの階層の作業情報に対応する作業コード（本実施形態では、ＷＢＳレベル１の作業情報に対応する作業コード）とのみに対応して、メンテナンスコード生成部１２０が、メンテナンスコードＣＯＭを生成する。
そして、生成されたメンテナンスコードＣＯＭは、上記モニタ上の「客先機器台帳画面」に表示されるとともに、客先機器台帳作成部１２１が、「客先機器台帳画面」で入力したプラント情報に紐づけて、客先ＢＯＭ・ＷＢＳＤＢ１３１へ記憶・保存する。以下に詳細を述べる。
【００３０】
図３は、メンテナンスコードＣＯＭの生成方法を説明するための簡略図である。図３（ａ）に、プラント名「プラントα」のＢＯＭの各階層の機器情報の一例を示す。
例えば、プラントαは、ＢＯＭレベル１の機器情報である「設備１」および「設備２」で構成される。設備１は、ＢＯＭレベル２の機器情報である「機器Ａ」と「機器Ｂ」にそれぞれ紐づく。設備２は、ＢＯＭレベル２の機器情報である「機器Ｃ」に紐づく。
機器Ａは、ＢＯＭレベル３の機器情報である「機器詳細１」と「機器詳細２」にそれぞれ紐づく。機器Ｂは、ＢＯＭレベル３の機器情報である「機器詳細３」に紐づく。機器Ｃは、ＢＯＭレベル３の機器情報である「機器詳細４」に紐づく。
機器詳細１は、ＢＯＭレベル４の機器情報である「部位１」に紐づき、さらに部位１は、ＢＯＭレベル５の機器情報である「部品１」に紐づく。
なお、機器詳細２、機器詳細３、及び機器詳細４に紐づくＢＯＭレベル４またはそれより深い階層の機器情報は存在しない。
ここで、ＢＯＭレベル１〜３の機器情報は、管理システム１０で管理するいずれのプラントにおいても必ず入力される情報である。ＢＯＭレベル４〜５の機器情報は、ＢＯＭレベル１〜３に入力される機器情報の種類やプラントの特性によって、入力の要否が分かれる情報である。なお、作業者による入力が必須であるＢＯＭの階層は、ここではＢＯＭレベル１〜３としたが、これは一例であり、管理システム１０の仕様によって、入力を必須とする階層の数を適宜設定してよい。例えば、ＢＯＭレベル１、２の２階層を、入力が必須の階層に設定してもよい。また、ＢＯＭは、ＢＯＭレベル５よりも深い階層（例えば、ＢＯＭレベル６、ＢＯＭレベル７、・・・など）を有していてもよい。
【００３１】
図３（ｂ）に、プラントαのＷＢＳの各階層の作業情報の一例を示す。ＷＢＳレベル１の作業情報である「作業１」は、ＷＢＳレベル２の作業情報である「作業詳細Ａ」と「作業詳細Ｂ」にそれぞれ紐づく。ＷＢＳレベル１の作業情報である「作業２」は、ＷＢＳレベル２の作業情報である「作業詳細Ｃ」に紐づく。作業詳細Ａは、ＷＢＳレベル３の作業情報である「作業詳細１」に紐づく。作業詳細Ｂ及び作業詳細Ｃに紐づくＷＢＳレベル３またはそれより深い階層の作業情報は存在しない。
ここで、ＷＢＳレベル１の作業情報は、管理システム１０で管理するいずれのプラントにおいても必ず入力する情報である。ＷＢＳレベル２〜３の作業情報は、ＷＢＳレベル１に入力される作業情報の種類やプラントの特性によって、入力の要否が分かれる情報である。なお、作業者による入力が必須であるＷＢＳの階層は、ここではＷＢＳレベル１としたが、これは一例であり、管理システム１０の仕様によって、入力を必須とする階層の数を適宜設定してよい。例えば、ＷＢＳレベル１、２の２階層を、入力が必須の階層に設定してもよい。また、ＷＢＳは、ＷＢＳレベル３よりも深い階層（例えば、ＷＢＳレベル４、ＷＢＳレベル５、…など）を有していてもよい。
【００３２】
図３（ａ）及び図３（ｂ）で示したプラントαのＢＯＭとＷＢＳは、図３（ｃ）に示すように、互いに紐づけられる。すなわち、管理システム１０で管理する全てのプラントにおいて入力が必須のＢＯＭの階層（この例では、ＢＯＭレベル１〜３）のうち、最下層であるＢＯＭレベル３の機器情報に、同様に入力が必須のＷＢＳの階層（この例では、ＷＢＳレベル１）のうち、ＢＯＭレベル３の機器情報に直接的に紐づく階層であるＷＢＳ１の作業情報が紐づけられる。図３（ｃ）では、ＢＯＭレベル３の機器情報である「機器詳細１」に、ＷＢＳ１の作業情報である「作業１」が紐づけられている。
なお、ＷＢＳの階層の中で、ＢＯＭレベル３の機器情報に「直接的に紐づく」階層の作業情報とは、上記最下層であるＢＯＭレベル３の機器情報に対して実施されうる作業情報が複数存在するＷＢＳの階層の中で、最上層の作業情報を意味する。従って、ＢＯＭ３レベルの複数の機器情報に対して、ＷＢＳレベル１の作業情報が複数存在せず、ただ一つの作業情報しかない場合、ＷＢＳレベル１は上記「直接的に紐づく」階層とはならない。例えば、図３（ｂ）でＷＢＳレベル１の作業情報が唯一「作業１」だけで「作業２」が存在しない場合、ＷＢＳの階層の中で、ＢＯＭレベル３の機器情報に直接的に紐づく階層は、ＷＢＳレベル１ではなくＷＢＳレベル２になりうる。
【００３３】
次に、図３（ｃ）に示すように、図３（ａ）及び図３（ｂ）のＢＯＭ及びＷＢＳは、プラント名「プラントα」のプラント情報に関するものであるので、プラントαが、これらＢＯＭ及びＷＢＳに紐づけられる。
さらに、図３（ｃ）に示すように、プラントαの機器情報である「機器詳細１」及びプラントαの作業情報である「作業１」にのみに対応するメンテナンスコードＣＯＭが、メンテナンスコード生成部１２０により生成され、同様に紐づけられる。メンテナンスコードＣＯＭは、例えば、「機器詳細１」を作業者が入力した場合にこれに対応して業務アプリケーション部１２で自動的に設定される装置コードが「123XA」であり、「作業１」を作業者が入力した場合にこれに対応して業務アプリケーション部１２で自動的に設定される作業コードが「089X」である場合に、これら２つのコードのみに対応して、「123XA089X」と生成される。
【００３４】
なお、当該装置コードが「123XA」、当該作業コードが「089X」の場合を例と説明したが、これらコードの桁数はこれに限らず、仕様等に応じてこれ以上またはこれ以下に設定されうる。さらに、メンテナンスコード生成部１２０は、自動で生成された当該装置コードと当該作業コードをそのまま利用してメンテナンスコードＣＯＭを生成してもよいし、記憶部１３に２入力１出力の変換表または変換テーブルを別途備え、メンテナンスコード生成部１２０がこれを利用してメンテナンスコードＣＯＭを生成してもよい。例えば、メンテナンスコード生成部１２０は、当該装置コードが「123XA」、当該作業コードが「089X」の場合に、そのまま並べ、「123XA089X」や「089X123XA」のようにメンテナンスコードＣＯＭを生成してもよいし、混在させて「102839XXA」（互い違いに配置）のようにメンテナンスコードＣＯＭを生成してもよい。また、メンテナンスコード生成部１２０は、上記変換表に、当該装置コード「123XA」及び当該作業コード「089X」を入力し、当該変換表から出力されるコード（装置コードや作業コードと全く無関係の値や桁数であるが、これら２つのコードに唯一対応するコード）を、メンテナンスコードＣＯＭとしてもよい。
【００３５】
（工程表の作成処理）
図１の説明に戻る。工程表作成部１２２は、まず、客先機器台帳作成部１２１が客先ＢＯＭ・ＷＢＳＤＢ１３１に記憶・保存したメンテナンスコードＣＯＭ及びそれに紐づくプラント情報を全て、工事予定ＤＢ１３２にコピーする。そして、工程表作成部１２２は、入出力部１１のモニタに「工程表作成画面」を表示し、工事予定ＤＢ１３２を用いて工程表の作成処理Ｓ１２を実行する。「工程表作成画面」には、工程表の作成処理Ｓ１２で入力される複数の項目の入力欄が表示される。具体的には、図４で示すように、機器情報である客先設備名（ＢＯＭレベル１）、機器仕様分類、客先機器詳細名、機器詳細仕様、または系列（ＢＯＭレベル３）、並びに、作業情報である作業属性または客先実施項目名（ＷＢＳレベル１）、客先作業詳細名（ＷＢＳレベル２）、予定工程または予定工数（ＷＢＳレベル３）、さらには関連情報である休炉予定または検査予定等を入力するための入力欄を、工程表作成部１２２が入出力部１１のモニタに表示する。なお、関連情報の入力欄には、文章で説明やコメントを入力することができる。例えば、予定されている休炉や検査に関する詳細な内容や、お客様への連絡事項等の種々の情報を入力することができる。従って、関連情報には、作業者の経験によるノウハウや、特定製品の型番、作業上の秘密情報が含まれうる。
このとき、工事予定ＤＢ１３２には、客先ＢＯＭ・ＷＢＳＤＢ１３１に記憶・保存されたメンテナンスコードＣＯＭ及びプラント情報がコピーされている。よって、工程表の作成処理Ｓ１２の際、入力が必要となる項目であって、且つ、すでにコピーされたプラント情報等については、工程表作成部１２２は、当該入力欄の表示の際に、これら情報等を併せて表示させる。図４の例では、客先機器台帳作成部１２１と工程表作成部１２２で、入力が必要となるプラント情報等は、ＢＯＭレベル１、ＢＯＭレベル３、ＷＢＳレベル１、及びＷＢＳレベル２において同一である。よって、これらのプラント情報は、「工程表作成画面」で作業者が改めて入力する必要はない。ただし、作業者は、「工程表作成画面」の入力欄でこれら情報を修正することができる。
従って、工程表の作成処理Ｓ１２において作業者が新規に入力する必要があるのは、多くとも、予定工程または予定工数（ＷＢＳレベル３）と関連情報の２項目であり、このため、作業者の入力作業の時間及び労力を削減することができる。
【００３６】
また、特定のプラントについて工程表の作成処理Ｓ１２を実行する際、工程表作成部１２２は、当該工程表の作成に参考となる同一のメンテナンスコードＣＯＭに紐づく複数のプラントのプラント情報を検索・抽出し、他のプラントと比較できる形式で入出力部１１のモニタに表示させることができる。従って、作業者が作成処理Ｓ１２を実行する際、他のプラントと比較しながら効率よく作業を行うことができるので、作業者の入力作業の時間及び労力を削減することができる。
ところで、本発明においては、上述のように、同一のメンテナンスコードＣＯＭに紐づく複数のプラントのプラント情報等をモニタに表示させた際、表示された複数のプラント情報等が多数である場合、作業者は、表示されたプラント情報をグループコードＰＡＲＥでさらに絞り込み、表示させることができる。グループコードＰＡＲＥの生成及びプラント情報への紐づけ方法は、以下のとおりである。
まず、作業者は、「工程表作成画面」を介して工程表作成部１２２に指示することで、工程表作成部１２２が関連情報分析部１２９を起動させる。関連情報分析部１２９は、表示された複数のプラント情報の関連情報として工事予定ＤＢ１３２に記憶・保存されている膨大なテキストから、特定の単語、数字などの文字列を分析（例えば、テキストマイニング分析）し、図９の上図に示すように、特定の文字列を数の多い順に所定数だけ当該モニタに表示する。
詳細は後述するが、作業者が表示された特定の文字列をモニタ上で選択すると、図９の下図に示すように、選択した特定の文字列に関連性の高い文字列のみが表示される。ここで、作業者が当該選択した特定の文字列で上記絞り込みを希望する場合、作業者は、当該モニタを介して工程表作成部１２２に指示することで、工程表作成部１２２がグループコード作成部１２Ａを起動させる。グループコード作成部１２Ａは、当該選択した特定の文字列に一対一に対応する特定のグループコードＰＡＲＥを作成し、すでにモニタに表示させている「同一のメンテナンスコードＣＯＭに紐づく複数のプラントのプラント情報」のうち、当該選択した特定の文字列を関連情報に含むプラント情報に紐づける。例えば、グループコードＰＡＲＥが「X425A00A1」と生成された場合、図３（c）のプラント情報に当該グループコードＰＡＲＥが紐づけられた状態を、図１０に示す。
なお、グループコードＰＡＲＥは、例として「X425A00A1」を示したが、コードの桁数はこれに限らず、仕様等に応じてこれ以上またはこれ以下に設定されうる。
【００３７】
そして、グループコード生成部１２ＡによってグループコードＰＡＲＥが生成された場合、グループコードＰＡＲＥは、「工程表作成画面」に表示される。また、工程表作成部１２２が、グループコードＰＡＲＥを対応するプラント情報に紐づけて、工事予定ＤＢ１３２に記憶・保存する。
これにより、作業者は、グループコードＰＡＲＥを用いて上記絞り込みを実行し、モニタに表示される複数のプラント情報の数を減数させ、作業に関連性の高い情報のみを表示させることができるので、他のプラントと比較しながらさらに効率よく作業を行うことができる。よって、作業者の入力作業の時間及び労力を削減することができる。
なお、以下の業務プロセスの各処理Ｓ１３〜Ｓ１８においても、各処理部１２３〜１２９は、工程表作成部１２２と同様に、グループコードＰＡＲＥを生成し、対応するプラント情報に紐づけることができる。
【００３８】
以上の通り、特定のプラントについて工程表の作成処理Ｓ１２を実行する際、同一のメンテナンスコードＣＯＭや、同一のグループコードＰＡＲＥに紐づく複数のプラントのプラント情報等を検索・抽出し、他のプラントと比較できる形式で入出力部１１のモニタに表示させることができる。これにより、作業者は、特定のプラントについて、他のプラント情報を参考に入力を行うことができるので、入力作業が効率的（時間短縮、労力低減）になり、また、実績に基づくプラント情報と比較した結果であるので信頼性の高い工程表を作成することができる。
【００３９】
（見積の作成処理）
見積作成部１２３は、まず、工程表作成部１２２が工事予定ＤＢ１３２に記憶・保存したメンテナンスコードＣＯＭ、グループコードＰＡＲＥ及びそれに紐づくプラント情報を全て、見積ＤＢ１３３にコピーする。工事予定ＤＢ１３２に記憶・保存されたプラント情報等を全てコピーするので、工程表作成部１２２における工程表の作成処理Ｓ１２で使用されず、モニタに表示もされなかったＢＯＭレベル２、ＢＯＭレベル４、及びＢＯＭレベル５のプラント情報も見積ＤＢ１３３にコピーされる。これらＢＯＭレベル２、ＢＯＭレベル４、及びＢＯＭレベル５のプラント情報は、客先ＢＯＭ・ＷＢＳＤＢ１３１に記憶・保存されたプラント情報と同一である。
【００４０】
そして、見積作成部１２３は、入出力部１１のモニタに「見積作成画面」を表示し、見積ＤＢ１３３を用いて見積の作成処理Ｓ１３を実行する。「見積作成画面」には、見積の作成処理Ｓ１３で入力される複数の項目の入力欄が表示される。具体的には、図４で示すように、機器情報である客先設備名（ＢＯＭレベル１）、客先機器名（ＢＯＭレベル２）、機器仕様分類、客先機器詳細名、または系列（ＢＯＭレベル３）、客先機器部品名、部品仕様、数量、または見積単価（ＢＯＭレベル５）、並びに、作業情報である作業属性または客先実施項目名（ＷＢＳレベル１）、客先作業詳細名、見積工数、または見積単価（ＷＢＳレベル２）、さらには関連情報である経費を入力するための入力欄を、見積作成部１２３が入出力部１１のモニタに表示する。
このとき、見積ＤＢ１３３には、工事予定ＤＢ１３２に記憶・保存されたメンテナンスコードＣＯＭ、グループコードＰＡＲＥ及びプラント情報がコピーされている。よって、見積の作成処理Ｓ１３の際、入力が必要となる項目であって、且つ、すでにコピーされたプラント情報等については、見積作成部１２３は、当該入力欄の表示の際に、これら情報等を併せて表示させる。
【００４１】
ここで、図４において、客先機器台帳作成部１２１で入力が必要なＢＯＭレベル２の情報は、客先機器名または機器仕様であるのに対し、見積作成部１２３で入力が必要なＢＯＭレベル２の情報は、客先機器名であって、機器仕様の入力は不要となっている。この場合、見積作成部１２３は、「見積作成画面」の入力欄に、工事予定ＤＢ１３２から見積ＤＢ１３３にコピーされた客先機器名を表示し、必要に応じて作業者による修正を可能とするが、同様にコピーされた機器仕様を表示する必要はない。また、図４において、客先機器台帳作成部１２１で入力が必要なＢＯＭレベル５の情報は、客先機器部品名または部品仕様であるのに対し、見積作成部１２３で入力が必要なＢＯＭレベル５の情報は、客先機器部品名、部品仕様、数量、または見積単価であり、情報量が増加している。この場合、見積作成部１２３は、「見積作成画面」の入力欄に、工事予定ＤＢ１３２から見積ＤＢ１３３にコピーされた客先機器部品名または部品仕様を表示し、必要に応じて作業者による修正を可能とするが、さらに、同じＢＯＭレベル内で増加した情報（ここでは、数量または見積単価）に対応する入力欄を新たに「見積作成画面」に表示して、作業者の入力を促す。
【００４２】
なお、工程表作成部１２２と同様、特定のプラントについて見積の作成処理Ｓ１３を実行する際、グループコードＰＡＲＥを生成し、プラント情報に紐づけることができる。そして、見積作成部１２３は、同一のメンテナンスコードＣＯＭに紐づく複数のプラントのプラント情報や、同一のグループコードＰＡＲＥに紐づく複数のプラントのプラント情報を検索・抽出し、他のプラントと比較できる形式で入出力部１１のモニタに表示させることができる。これにより、作業者は、特定のプラントについて、他のプラント情報を参考に入力を行うことができるので、入力作業が効率的（時間短縮、労力低減）になり、また、実績に基づくプラント情報と比較した結果であるので信頼性の高い見積を作成することができる。特に関連性の深い、同一のグループコードに紐づくプラントのプラント情報を表示させることにより、さらに作業効率を向上させ、確度の高い見積もりを作成することができる。
【００４３】
その他の処理部、すなわち工事仕様書作成部１２４から保全計画作成部１２８は、工程表作成部１２２または見積作成部１２３と同様の動作を行うので、以下、簡単に説明する。なお、これら各処理部は、同一のメンテナンスコードＣＯＭ、さらには同一のグループコードＰＡＲＥに紐づく複数のプラントのプラント情報を検索・抽出し、他のプラントと比較できる形式で入出力部１１のモニタに表示させることができる。また、これら各処理部は、関連情報分析部１２９を用いて関連情報を分析させ、分析結果から選択した特定の文字列に基づいて、グループコード生成部１２Ａにグループコードを生成させることができる。
【００４４】
（工事仕様書の作成処理）
工事仕様書作成部１２４は、まず、見積作成部１２２が見積ＤＢ１３３に記憶・保存したメンテナンスコードＣＯＭ、グループコードＰＡＲＥ及びそれらに紐づくプラント情報を全て、発注コストＤＢ１３４にコピーする。そして、入出力部１１のモニタに「工事仕様書作成画面」を表示し、発注コストＤＢ１３４を用いて工事仕様書の作成処理Ｓ１４を実行する。
【００４５】
（工事報告書の作成処理）
工事報告書作成部１２５は、まず、工事仕様書作成部１２４が発注コストＤＢ１３４に記憶・保存したメンテナンスコードＣＯＭ、グループコードＰＡＲＥ及びそれらに紐づくプラント情報を全て、機器点検・計測記録ＤＢ１３５にコピーする。そして、入出力部１１のモニタに「工事報告書作成画面」を表示し、機器点検・計測記録ＤＢ１３５を用いて工事報告書の作成処理Ｓ１５を実行する。
【００４６】
（工事日報の作成処理）
工事日報作成部１２６は、まず、工事報告書作成部１２５が機器点検・計測記録ＤＢ１３５に記憶・保存したメンテナンスコードＣＯＭ、グループコードＰＡＲＥ及びそれらに紐づくプラント情報を全て、工事実績ＤＢ１３６にコピーする。そして、入出力部１１のモニタに「工事日報作成画面」を表示し、工事実績ＤＢ１３６を用いて工事日報の作成処理Ｓ１６を実行する。
【００４７】
（保全履歴の作成処理）
保全履歴作成部１２７は、まず、工事日報作成部１２６が工事実績ＤＢ１３６に記憶・保存したメンテナンスコードＣＯＭ、グループコードＰＡＲＥ及びそれらに紐づくプラント情報を全て、工事履歴ＤＢ１３７にコピーする。そして、入出力部１１のモニタに「保全履歴画面」を表示し、工事履歴ＤＢ１３７を用いて保全履歴の作成処理Ｓ１７を実行する。
【００４８】
（保全計画の作成処理）
保全計画作成部１２８は、まず、保全履歴作成部１２７が工事履歴ＤＢ１３７に記憶・保存したメンテナンスコードＣＯＭ、グループコードＰＡＲＥ及びそれらに紐づくプラント情報を全て、将来工事計画ＤＢ１３８にコピーする。そして、入出力部１１のモニタに「保全計画作成画面」を表示し、将来工事計画ＤＢ１３８を用いて保全計画の作成処理Ｓ１８を実行する。
【００４９】
そして、保全計画の作成処理Ｓ１８の後、管理システム１０における業務プロセスは、工程表の作成処理Ｓ１２へ戻り、業務プロセスを順次継続してゆく。なお、業務プロセスが工程表の作成処理Ｓ１２へ戻った際には、工程表作成部１２２は、まず、保全計画作成部１２８が将来工事計画ＤＢ１３８に記憶・保存したメンテナンスコードＣＯＭ、グループコードＰＡＲＥ及びそれらに紐づくプラント情報を全て、工事予定ＤＢ１３２にコピーするとともに、客先機器台帳作成部１２１が客先ＢＯＭ・ＷＢＳＤＢ１３１に新たに記憶・保存したメンテナンスコードＣＯＭ及びそれに紐づくプラント情報を全て、工事予定ＤＢ１３２にコピーする。
以上に説明したように、管理システム１０では、業務アプリケーション部１２の各処理部１２０〜１２８にそれぞれ個別に対応したＤＢが設けられている。従って、直前の業務プロセスに対応したＤＢにつき、例えば定期点検などの保守作業が実施される場合、現時点において実行しようとする業務プロセスに対応した処理部は、自己に個別に対応したＤＢを用いて自己の処理を実行することができる。従って、管理システム１０の利便性を向上することができる。
【００５０】
（表示例）
次に、図５から図８を用いて、同一のメンテナンスコードＣＯＭで複数のプラント情報を検索・抽出した際のモニタへの表示例を示す。同一のグループコードＰＡＲＥで複数のプラント情報を検索・抽出した際のモニタへの表示例は、ＣＯＭの場合と同様であるので省略する。
工事日報作成部１２６で工事日報の作成処理Ｓ１６を実行する際に、実績工数（ＷＢＳレベル２の作業情報）を「工事日報作成画面」で入力するが、これらの表示例は、この際に、参考とする他のプラント情報を同一のメンテナンスコードＣＯＭで検索・抽出してモニタに表示させた例である。同一のプラント情報であっても、管理システム１０において、作業者は、例えば図５から図８のいずれかの表示形式を選択することができることを示す。
なお、ここでは、ＢＯＭの複数の階層のうち、複数のプラントの全てにおいて機器情報が必ず入力される階層の中で最下層であるＢＯＭレベル３の機器情報として「１号ボイラチューブ」が入力され、ＷＢＳの複数の階層のうち、上記最下層の機器情報に直接的に紐づくＷＢＳの階層であるＷＢＳレベル１の作業情報として「ボイラチューブ清掃」が入力される例を示す。また、「１号ボイラチューブ」に対応する製品コードは「103AA01」であり、「ボイラチューブ清掃」に対応する作業コードは「0201」であり、メンテナンスコードＣＯＭは、これらをそのまま用いた「103AA010201」とした例である。
先述のように、製品コード等の桁数は仕様等に応じて適宜設定されうるが、ここでは図３で説明した製品コードの桁数より多い桁数を製品コードとしている。製品コードは「103AA01」であるが、製品コードの中に号炉コード「01」（１号炉を意味する）を特に入れ込んだ例である。
また、図５から図７では、関連情報として、実績がある場合は「レ」、実績がない場合は「-」として、実績の有無も表示している。
ここでは、工事日報作成部１２６で工事日報の作成処理Ｓ１６を実行する際の例を示すが、業務アプリケーション部１２の他の処理部においても同様に、作業者が表示形式を選択することができる。
【００５１】
図５は、記憶部１３に記憶・保全されている全てのプラント情報から、「１号ボイラチューブ」の「ボイラチューブ清掃」を実施した又は実施予定のプラント情報を、メンテナンスコードＣＯＭ「103AA010201」で検索・抽出し、比較のためにモニタに表示させた例である。
列挙された複数のプラント情報のＢＯＭレベル３は、全て「１号ボイラチューブ」であり、ＷＢＳレベル１は、全て「ボイラチューブ清掃」であることがわかる。また、ＢＯＭレベル４には、「１号ボイラチューブ火炉左側壁管」と「１号ボイラチューブ火炉右側壁管」の２つの異なる機器情報があり、ＷＢＳレベル２には、「清掃」、「肉厚計測箇所磨き」、及び「肉厚計測」の３つの異なる作業情報があることがわかる。さらに、ＷＢＳレベル３には、「１パス清掃」、「２パス清掃」、「清掃灰搬出」、「計測箇所マーキング」、「計測箇所磨き」、「肉厚計測Ａ」及び「肉厚計測Ｂ」の７つの異なる作業情報があることがわかる。
【００５２】
また、実績工数、実績（有無）の欄を見ると、「１号ボイラチューブ火炉左側壁管」には作業の実績があり、その工数も表示されている。一方、「１号ボイラチューブ火炉右側壁管」には作業の実績がないので、その工数も表示されていないことがわかる。
図５のように表示されたプラント情報は、ＷＢＳレベル２の「清掃」だけで実績工数がいくつあるのか、一見しただけでは理解が容易でない。そこで、ＷＢＳレベル２の「清掃」、「肉厚計測箇所磨き」、及び「肉厚計測」の３つの異なる作業情報で、実績工数を加算し、まとめて表示したのが図６の表示例である。「清掃」の実績工数は「４」、「肉厚計測箇所磨き」の実績工数は「４」、「肉厚計測」の実績工数は「２」であることを、容易に理解することができる。
さらに、実績工数の現時点における総計を知りたい場合には、図７のように表示させることもできる。ここでは、実績のあるのは、「１号ボイラチューブ火炉左側壁管」の「清掃」（実績工数：４）、「肉厚計測箇所磨き」（実績工数：４）、「肉厚計測」（実績工数：２）であるので、これらの数字が加算されて、実績工数の現時点の総計「１０」が表示されている。
図７をより簡略化して、「ボイラチューブ清掃」の実績工数の現時点における総計「１０」を、図８のように表示させることもできる。
【００５３】
上述のように、特定のＢＯＭレベル（ＢＯＭの複数の階層のうち、複数のプラントの全てにおいて機器情報が必ず入力される階層の中で最下層）の機器情報に対応する製品コード及び特定のＷＢＳレベル（ＷＢＳの複数の階層のうち、上記最下層の機器情報に直接的に紐づくＷＢＳの階層）の作業情報に対応する作業コードに対応したメンテナンスコードＣＯＭが、管理システム１０で管理する全てのプラント情報に紐づけられている。このため、メンテナンスコードＣＯＭを用いて管理システム１０にて作業者が検索を行えば、入力作業の際の参考のために比較する他のプラント情報を抽出でき、さらに作業者が当該他のプラント情報の表示形式を適宜選択して比較することで、作業者の入力作業の時間及び労力を削減することができる。
【００５４】
メンテナンスコードＣＯＭは、このように特定のＢＯＭレベルと特定のＷＢＳレベルの両方のプラント情報に対応するコードであるので、特定のＢＯＭレベルのみ、または特定のＷＢＳレベルのみに対応したコードを用いて検索する場合に比べ、抽出される情報を格段に絞り込むことができる。さらに、特定のＢＯＭレベルは、ＢＯＭの複数の階層のうち、複数のプラントの全てにおいて機器情報が必ず入力される階層の中の最下層であり、特定のＷＢＳレベルは、ＷＢＳの複数の階層のうち、上記最下層の機器情報に直接的に紐づくＷＢＳの階層であるので、作業者がプラント情報を入力する際、他の階層へ誤入力したとしても、比較対象とすべき全ての他のプラント情報を高い確度で的確に検索・抽出することができる。
【００５５】
以上に詳述したように、本実施形態の管理システム１０によれば、複数のプラントが管理対象である場合において、作業者によるプラント情報の入力の負荷を低減し、プラント情報の誤入力があっても、高い確度で所望のプラント情報を検索・抽出・比較することができる。
【００５６】
（関連情報の分析結果の表示例）
図９は、関連情報分析部１２９による関連情報の分析結果の表示例を示す図である。図９の上図に関連情報分析部１２９が、ＤＢ１３１〜１３８（例えば、工事実績ＤＢ１３６）の記憶する同一のメンテナンスコードＣＯＭに紐づけられた関連情報についてテキストマイニング分析を行った分析結果の表示例である。図９の上図に例示するのは、ボイラチューブ点検整備に関する関連情報についての分析結果である。分析結果には、関連情報を構成する意味ある文字列（単語、数字、文節等の特定の文字列）毎の出現回数や文字列間の関連性が含まれる。さらに分析結果には、例えば、機器情報や作業情報に分類され得る文字列の出現回数や相関関係がモニタに表示される。ここで、作業者が、一見、「ボイラチューブ点検整備」に関係のない文字列である「抜管」に注目して「抜管」を選択する操作を行う。すると、図９の下図の表示に切り替わる。図９の下図は、図９の上図で対象となった関連情報のうち「抜管」を含む関連情報のみを対象として、関連情報分析部１２９がテキストマイニング分析を行った分析結果である。図９の下図には「抜管」を含む複数の関連情報を構成する文字列毎の出現回数や文字列間の関連性が表示されている。
作業者は、「抜管」の出現回数１０１回、「抜管」と相関関係がある「足場」とその出現回数２０１回を参照して、例えば、これらの出現回数が比較的多いことから「抜管」が重要な情報であると判断することができる。この判断に基づき、作業者が「抜管」を関連情報に含むプラント情報だけを抽出して比較可能にしたいと考える場合、作業者は「抜管」に基づくグループコードＰＡＲＥの生成及び対応するプラント情報への紐づけを各処理部１２２〜１２８へ指示する操作を行う。すると、グループコード生成部１２Ａは、現在表示されているプラント情報と同じメンテナンスコードＣＯＭに紐づけられたプラント情報の中から、特定の文字列「抜管」を関連情報に含むプラント情報だけを抽出し、抽出したプラント情報に同一のグループコードＰＡＲＥを付す。図１０にグループコードＰＡＲＥの一例を示す。
【００５７】
なお、１つのプラント情報に複数のグループコードＰＡＲＥを紐づけることが可能である。例えば、図９の上図にて、「抜管」、「足場」の各々に基づいて、異なるグループコードＰＡＲＥを生成することが可能である。その場合、プラント情報の中には、「抜管」に基づいて生成されたグループコードＰＡＲＥ（以下、「ＰＡＲＥ１」という）と、「足場」に基づいて生成されたグループコードＰＡＲＥ（以下、「ＰＡＲＥ２」という）との両方に紐づけられるプラント情報が生じうる。当該プラント情報は、対応するメンテナンスコードＣＯＭ、グループコードＰＡＲＥ１、グループコードＰＡＲＥ２のいずれでも検索することが可能となる。
ところで、記憶部１３の各ＤＢには、予め複数のグループコードＰＡＲＥを格納するための所定容量が用意されている。関連性の深いプラント情報を、グループコードＰＡＲＥによって紐づけることで、作業者は、図２のＳ１２〜Ｓ１８の各処理において、メンテナンスコードＣＯＭのみならず、グループコードＰＡＲＥによってもプラント情報の検索、抽出、比較が可能となる。
【００５８】
なお、ある一つのグループコードＰＡＲＥ（例えば、「X425A00A1」）に紐づけられた複数のプラント情報でなるグループは、当該プラント情報に対応するメンテナンスコードＣＯＭ（例えば、「123XA089X」）に紐づけられた複数のプラント情報でなるグループに包含される関係が成立する。また、先述のように、ある一つのメンテナンスコードＣＯＭに対応した複数のグループコードＰＡＲＥを生成することが可能である。関連情報分析部１２９の分析結果を参照して、多数のグループコードＰＡＲＥを生成し、プラント情報のグループ分けを数多く行うことによって、各処理Ｓ１２〜Ｓ１８における処理速度や処理精度を高めることができる。
【００５９】
グループ分けに用いる特定の文字列の例として、出現回数が多い文字列の他に、コストや実績工数に関連する数字を用いることができる。コスト、実績工数は、事業への影響度が高く、出現回数の多い文字列は、事業への影響度及び顧客のニーズが高いことを示している。関連情報分析部１２９の分析結果を参照しつつ、作業者の経験に基づいて顧客ニーズや事業方針に影響が大きい特定の文字列を関連情報に含むプラント情報をグループ化させることにより、各処理部１２２〜１２８でより効果的な処理を行うことができる。
【００６０】
なお、関連情報には現場作業者の暗黙知（ノウハウ）が多く含まれている。関連情報分析部１２９によってテキストマイニング分析等を行うことで、関連情報を構成する文字列の不可知な相関関係などを可視化し、現場作業者のノウハウを活用可能なものとすることができる。また、大量のテキスト情報を対象として、特定の文字列の出現回数などを自動的に算出することができる。これにより、これまでに認識できなかった文字列の重要性、影響度などを把握し、有効なグループ化を行うことができる。
【００６１】
また、上記説明では、関連情報分析部１２９は、関連情報の分析結果を表示させることとしたが、これに加え、どの文字列が特定の文字列として選択されたかを学習し、選択候補となる文字列の候補を表示するように構成されていてもよい。例えば、出現回数が多い文字列が選択される傾向がある場合、関連情報分析部１２９は、出現回数が多い順に上位３つの文字列を強調して表示してもよい。強調して表示するとは、例えば、フォントサイズを大きくして表示する、太字での表示する、赤色で表示する等である。また、例えば、ある文字列αと相関関係のあるコストや工数を示す文字列（数字）が所定の値より大きい場合、関連情報分析部１２９は、文字列αを特定の文字列の候補として強調して表示してもよい。
【００６２】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。例えば、関連情報分析部１２９は、テキストマイニングの他、関連情報を対象として主成分分析、クラスター分析等の手法によって分析を行ってもよい。また、関連情報分析部１２９による分析によらずとも、作業者が、自らの知見などに基づいて特定の文字列を指定し、その特定の文字列に基づいてグループコードＰＡＲＥを生成してもよい。さらに、作業者が関与せずとも、例えば、人工知能（ＡＩ）を用いて、各処理部１２２〜１２８が、関連情報分析部１２９とグループコード生成部１２Ａを起動し、グループコードＰＡＲＥの生成及び対応するプラント情報への紐づけを自動的に行ってもよい。
【符号の説明】
【００６３】
１０・・・プラント機器情報管理システム
１１・・・入出力部
１２・・・業務アプリケーション部
１２０・・・メンテナンスコード生成部
１２１・・・客先機器台帳作成部
１２２・・・工程表作成部
１２３・・・見積作成部
１２４・・・工事仕様書作成部
１２５・・・工事報告書作成部
１２６・・・工事日報作成部
１２７・・・保全履歴作成部
１２８・・・保全計画作成部
１２９・・・関連情報分析部
１２Ａ・・・グループコード生成部
１３・・・記憶部
１３１・・・客先ＢＯＭ・ＷＢＳＤＢ
１３２・・・工事予定ＤＢ
１３３・・・見積ＤＢ
１３４・・・発注コストＤＢ  
１３５・・・機器点検・計測記録ＤＢ
１３６・・・工事実績ＤＢ
１３７・・・工事履歴ＤＢ
１３８・・・将来工事計画ＤＢ
【図１】
2020057281.tif 000003
【図２】
2020057281.tif 000004
【図３】
2020057281.tif 000005
【図４】
2020057281.tif 000006
【図５】
2020057281.tif 000007
【図６】
2020057281.tif 000008
【図７】
2020057281.tif 000009
【図８】
2020057281.tif 000010
【図９】
2020057281.tif 000011
【図１０】
2020057281.tif 000012